(57)【要約】      （修正有）【課題】海鮮品を詰め備へた詰め容器の包装、持ち歩き、多重積、輸送等のさいに招く、品質の損傷を有する詰め容器の点にある。【解決手段】海鮮品の詰め容器１を、防水素材を用い浅底状に設けた収納箱体２に入置に備へ、収納箱体２の上部の周囲辺に対し、透明素材を用い、内部の上面体より詰め容器１の上部周囲辺と対称する突出部５を垂下に設けた蓋体３を冠置し、左右に開口８、８ａの中空状を有し、包装印刷を設け、上面体の一部に切り抜きの開口７を設けた化粧中空包装体６に、詰め容器１、蓋体３を備へた収納箱体２を挿入置に備へている。【選択図】図１
0003115476.tif 000002
【実用新案登録請求の範囲】
【請求項１】
詰め容器（１）を、防水素材を用い浅底状に設けた収納箱体（２）に入置に備へ、収納箱体（２）の上部の周囲辺に対し、透明素材を用い、内部の上面体より詰め容器（１）の上部の周囲辺と対称する突出部（５）を垂下に設けた蓋体（３）を冠置し、左右に開口（８）、（８ａ）の中空状を有し、包装印刷を設け、上面体の一部に切り抜きの開口（７）を設けた化粧中空包装体（６）に、詰め容器（１）、蓋体（３）を備へた収納箱体（２）を挿入置に備へている。
【考案の詳細な説明】
【技術分野】
【０００１】  本考案は、詰め容器に詰め備へた海鮮品の包装、持ち歩き、多重積、輸送等のさいに起る品質の損傷を防ぐことを目的とする、海鮮品の詰め容器を収納する化粧中空包装箱に関する。
【背景の技術】
【０００２】  海鮮品の詰め容器の多くは、品質の見映を優先した平面状の皿体を有す詰め容器が主で、よって、包装時、持ち歩きのさいの上下左右の変動、振動、また、多重積、輸送のさいにおける圧迫等と不安定な詰め容器の形態から品質の損傷を招ねく詰め容器といえる。
【考案の開示】
【考案が解決しようとする課題】
【０００３】  海鮮品を詰め備へた詰め容器の包装、持ち歩き、多重積、輸送等のさいに招く、品質の損傷を誘発する詰め容器の点にある。
【課題を解決しようとする手段】
【０００４】  本考案は、上記した海鮮品の品質の損傷を防ぐことを目的に、海鮮品の詰め容器（１）を、防水素材を用い、浅底状に設けた収納箱体（２）に入置に備へ収納箱体（２）の上部の周囲辺に対し、透明素材を用い内部の上面体より詰め容器（１）の上部の周囲辺と対称する突出部（５）を垂下に設けた蓋体（３）を冠置し、左右に開口（８）、（８ａ）の中空状を有し、包装印刷を設け、上面体の一部に切り抜きの開口（７）を設けた化粧中空包装体（６）に、詰め容器（１）、蓋体（３）を備へた収納箱体（２）を挿入置に備へている。
【考案の効果】
【０００５】  本考案は以上のような構成で海鮮品の詰め容器（１）を、収納箱体（２）に上部より入置し、その収納箱体（２）を、化粧印刷を有し、左右の開口（８）、（８ａ）を設けた化粧中空包装体（６）に挿入置による合体に備へてなる。
【０００６】  従って、新らたな外紙包装を質用とせず、また蓋体（３）の内部の上面体より垂下に設けた突出部（５）において、対称する詰め容器（１）の上部の周囲辺を弾性圧において固定を有し詰め容器（１）の遊びをなくす。
【０００７】  また、詰め備へた海鮮品と蓋体（３）とに空間を設けると共に、一式を備へた化粧中空包装体（６）の全体が箱体を有することにおいて多重積の可能を有した、よって、変動、振動からなる打撲損傷や、多重積、輸送からなる圧迫損傷をなくし改良の目的を可能とした。
【考案を実施するための最良の形態】
【０００８】  （イ）  海鮮品を詰め備へた詰め容器（１）を、防水素材を用い詰め容器（１）と適当な等差の浅底状に設け、内底部に吸水性をかねた弾性マット（４）を敷き備へた収納箱体（２）に上部より入置に備へる。
（ロ）  収納箱体（２）の上部の周囲辺に対し、透明素材を用い内部の上面体より、詰め容器（１）の上部の周囲辺と対称する、詰め容器（１）を固定する突出部（５）を垂下に設け備へた蓋体（３）を冠置に備える。
（ハ）  左右の開口（８）、（８ａ）を有し、その内面体の全周囲幅が、収納箱体（２）の外面体の全周囲幅の中空状に設け、また、外面体に包装印刷を施すと共に、上面体の一部に適当な大きさの切り抜きの開口（７）を設け備へた、化粧中空包装体（６）を備へる。
（ニ）  化粧中空包装体（６）の左右の開口（８）、（８ａ）を用い、詰め容器（１）、吸水をかねた弾性マット（４）、蓋体（３）を備へた収納箱体（２）を挿入置の合体に備へている。
（ホ）  化粧中空包装体（６）の外側面の中央部に、上下平行を有す２本の中空切開線（９）を設けている。【０００９】  また、他の実施による形態を、詰め容器（１）を、透明と防水をかねた素材を用い、詰め容器（１）と適当な等差の浅底状に設けた収納箱体（２）の上部より入置に備へると共に、収納箱体（２）の上部の周囲辺に対し、透明と防水をかねた素材を用い、内部の上面体より詰め容器（１）の上部の周囲辺と対称する詰め容器（１）を固定する突出部（５）を垂下に設け備へた蓋体（３）を密体の冠着に備へる。【００１０】  また、収納箱体（２）の上部の周囲辺に対し、透明と防水の素材からなる、フィルム状の蓋体（３）を、加熱において、直接の融着に設け備へている。【００１１】  従って、上記した効果と共に、収納箱体（２）、蓋体（３）を、全透明の素材を用いたことにおいて、詰め備へた海鮮品の新鮮な品質を直に提供する。
【実施例１】
【００１２】  図１は、本考案の、海鮮品の詰め容器を収納する化粧中空包装箱の実施例を示す、一部切断面斜視図であって、図２は、弾性マット（４）、詰め容器（１）を入置した収納箱体（２）を示す、一部切断面斜視図、また、図３は、蓋体（３）の内部構造を示す断面図で、図４は、収納箱体（２）を挿入置する化粧中空包装体（６）を示す斜視図で、図２以下それぞれの部分機能を示す。【００１３】  収納箱体（２）の内底部に、吸水をかねた弾性マット（４）を敷き備へ、その上部体に、海鮮品を詰め備へた詰め容器（１）を入置に備へ、収納箱体（２）の上部の周囲辺に対し、透明の素材を用いた蓋体（３）を冠置する、このことにより蓋体（３）の内部の上面体に垂下に設けた突出部（５）が、対称する詰め容器（１）の上部の周囲辺を当着において固定を図り、この一式を備へた収納箱体（２）を化粧中空包装体（６）に設けた開口（８）、（８ａ）より挿入置に備へ、化粧中空包装体（６）と合体する、この時、弾性マット（４）の反発圧において全体の固定を図る従って、変動、振動、多重積等による品質の損傷を防ぐ効果を得る。
【産業上の利用可能性】
【００１４】  海鮮品を詰め備へた詰め容器を、中空状に設けた化粧中空包装体に挿入置の合体に備へ、変動、振動、圧迫等において有す品質の損傷を除去することを目的とする。
【図面の簡単な説明】
【００１５】
【図１】  本考案の実施例を示す一部切断面斜視図
【図２】  詰め容器の収納箱体の部分を示す一部切断面斜視図
【図３】  蓋体の部分を示す断面図
【図４】  収納箱体を挿入置する化粧中空包装体の部分を示す斜視図
【符号の説明】
【００１６】  １  詰め容器
２  収納箱体
３  蓋体
４  弾性マット
５  突出部
６  化粧中空包装体
７  切り抜き開口
８  ８ａ  開口
９  中空切開線
【図１】
0003115476.tif 000003
【図２】
0003115476.tif 000004
【図３】
0003115476.tif 000005
【図４】
0003115476.tif 000006
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
詰め容器（１）を、防水素材を用い浅底状に設けた収納箱体（２）に入置に備へ、収納箱体（２）の上部の周囲辺に対し、透明素材を用い、内部の上面体より詰め容器（１）の上部の周囲辺と対称する突出部（５）を垂下に設けた蓋体（３）を冠置し、左右に開口（８）、（８ａ）の中空状を有し、包装印刷を設け、上面体の一部に切り抜きの開口（７）を設けた化粧中空包装体（６）に、詰め容器（１）、蓋体（３）を備へた収納箱体（２）を挿入置に備へたことを特徴とする化粧中空包装箱。